(57)【要約】【課題】電源を用いることなく液温を報知する動作を行うことができる液温報知装置と、この液温報知装置を備えた温水洗浄装置を提供する。【解決手段】温水が流通されるケーシング４１の第１室４１ａ内に形状記憶材料製の第１のバネ４５が配置されており、この温水の温度が該形状記憶材料の変態温度以上となったときに該第１のバネ４５が伸長する。第１のバネ４５の伸長に伴い、ロッド４７がケーシング４１から進出して打撃体４８を弾き、これにより打撃体４８がベル４９を打撃し、該ベル４９が音を発する。【選択図】図６
2009084983.tif 000002
【特許請求の範囲】
【請求項１】
液の流入口及び流出口を有したケーシングと、
該ケーシング内を第１室と第２室とに分画するように配置された分画体と、
該第１室内に配置された形状記憶材料製の第１のバネと、
該第２室内に配置された、非感温性の第２のバネと、
基端側が該分画体に連なり、先端側が前記ケーシング外に延出しているロッドと、
該ロッドの進退に伴って移動する打撃体と、
該打撃体の打撃によって音を発する被打体と
を備えてなり、
前記ケーシングの前記流入口及び流出口は、前記第１室内に液を流通させるように配置されている
液温報知装置。
【請求項２】
温水源と、該温水源からの水を洗浄ノズルに導く主流路と、該温水源又は主流路から分岐した捨て水流路と、該温水源からの水の温度に応じて捨て水動作する捨て水弁装置とを備えた温水洗浄装置において、
該捨て水流路の水が請求項１に記載の液温報知装置のケーシングに流通されるように該液温報知装置が設けられていることを特徴とする温水洗浄装置。
【発明の詳細な説明】
【技術分野】
【０００１】
本発明は、液温報知装置と、この液温報知装置を備えた温水洗浄装置に関する。この温水洗浄装置は、便器に設置され、人体臀部を洗浄するためのものである。
【背景技術】
【０００２】
便器に設けられた温水洗浄装置は、温水源からの温水を洗浄ノズル先端から噴出させて人体臀部を洗浄するよう構成されている。この洗浄ノズルに供給される水の温度が低いときには、この水を便器等に捨て、所定温度の水（湯）を洗浄ノズルに導くようにした捨て水機構を設けることがある。特開２００５−３２０６９４には、人体が便座に着座すると、捨て水用電磁弁を開とし、サーモスタットミキシングバルブから混合水を便器へ排出することが記載されている。また、この混合水の水温を温度センサで検知し、水温が定常温度にまで上昇してきた場合には捨て水用電磁弁を閉とすること、この捨て水動作中には捨て水動作を表示灯の点滅によって表示すること、捨て水動作終了後はこの点滅を停止することがそれぞれ記載されている。
【０００３】
なお、同号公報には、捨て水用電磁弁の上流側に形状記憶合金製バネによって流路を絞る開度可変管路を設け、混合水の温度が上昇してきたときには捨て水流量を減少させることが記載されているが、この形状記憶合金バネは捨て水の動作切替を行うものではない。
【特許文献１】特開２００５−３２０６９４
【発明の開示】
【発明が解決しようとする課題】
【０００４】
上記特開２００５−３２０６９４では、サーモスタットミキシングバルブからの混合水の温度を温度センサで検出し、この検出温度に応じて捨て水電磁弁を開閉させるようにしている。
【０００５】
かかる構成の温水洗浄装置は、電気制御方式であるため、電源が必須である。
【０００６】
なお、管の外面に感温テープを貼り、該管内を流れる水の温度を感温テープの色変化によって表示することがあるが、管内の水の温度が管を介して感温テープに伝わるまで時間がかかると共に、感温テープは動作の俊敏性に劣る。
【０００７】
本発明は、電源を用いることなく液温を報知する動作を行うことができる液温報知装置と、この液温報知装置を備えた温水洗浄装置を提供することを目的とする。
【課題を解決するための手段】
【０００８】
請求項１の液温報知装置は、液の流入口及び流出口を有したケーシングと、該ケーシング内を第１室と第２室とに分画するように配置された分画体と、該第１室内に配置された形状記憶材料製の第１のバネと、該第２室内に配置された、非感温性の第２のバネと、基端側が該分画体に連なり、先端側が前記ケーシング外に延出しているロッドと、該ロッドの進退に伴って移動する打撃体と、該打撃体の打撃によって音を発する被打体とを備えてなり、前記ケーシングの前記流入口及び流出口は、前記第１室内に液を流通させるように配置されていることを特徴とするものである。
【０００９】
請求項２の温水洗浄装置は、温水源と、該温水源からの水を洗浄ノズルに導く主流路と、該温水源又は主流路から分岐した捨て水流路と、該温水源からの水の温度に応じて捨て水動作する捨て水弁装置とを備えた温水洗浄装置において、該捨て水流路の水が請求項１に記載の液温報知装置のケーシングに流通されるように該液温報知装置が設けられていることを特徴とするものである。
【発明の効果】
【００１０】
本発明の液温報知装置にあっては、液が流通されるケーシングの第１室内に形状記憶材料製の第１のバネが配置されており、この液の温度が該形状記憶材料の変態温度以上となったときに該第１のバネが伸長するか、又は第２のバネの付勢力により縮短する。この第１のバネの伸縮により、ロッドがケーシングから進退し、このロッドの進退に伴って打撃体が移動して被打体を打撃し、これにより該被打体が音を発する。かかる本発明の液温報知装置によれば、電源を用いることなく、音で液温を報知することができる。
【００１１】
また、この液温報知装置にあっては、形状記憶材料製の第１のバネが、ケーシングの第１室内を流通する液と直に接するので、この液の温度が該形状記憶材料の変態温度以上となったときに該第１のバネが素早く伸縮する。これにより、液温報知装置は俊敏に液温を報知することができる。
【００１２】
かかる液温報知装置を備えた本発明の温水洗浄装置によると、電源を用いることなく、捨て水時に音で温水温度を報知することができる。
【発明を実施するための最良の形態】
【００１３】
以下、図面を参照して実施の形態について説明する。第１図は実施の形態に係る液温報知装置としての水温報知装置を備えた温水洗浄装置の系統図、第２図はダイヤフラム弁の断面図、第３図及び第４図は捨て水弁装置の断面図、第５図〜第８図は水温報知装置の断面図、第９図はこの水温報知装置の被打体打撃機構の斜視図、第１０図は第９図のＸ−Ｘ線に沿う断面図である。
【００１４】
この実施の形態では、温水洗浄装置は、ホテルなど、温水配管が壁などに引き回されたトイレルームに設置されている。温水がこの温水配管から供給されるため、温水洗浄装置にはヒータ付き温水タンクは設けられていない。ただし、本発明は、ヒータ付き温水タンクを有する温水洗浄装置にも適用可能である。
【００１５】
トイレルームの壁などに設けられた給湯止水栓及び給水止水栓にそれぞれ給湯配管１と給水配管２が連結されており、給湯配管１から温水が逆止弁３を介してサーモスタットミキシングバルブ４に導入可能とされ、給水配管２から常温の水が該サーモスタットミキシングバルブ４に導入可能とされている。
【００１６】
サーモスタットミキシングバルブ４で湯と水とが混合された混合水は、配管５、減圧弁付き高温遮断弁６、配管７、洗浄強さ調節用のつまみ８ａを有した流量調節弁８、配管９を介して洗浄ノズル１０へ導入可能とされている。この洗浄ノズル１０は、導入された温水をノズル１０ａの先端から人体臀部に向けて斜め上方へ噴出させるよう構成されている。
【００１７】
配管７からは捨て水用の配管１１が分岐している。この配管１１はダイヤフラム弁２０の流入口２１に接続されている。ダイヤフラム弁２０の流出口２２には、捨て水用配管１２が接続され、冷水を便鉢へ排出するように引き回されている。ダイヤフラム弁２０の背圧室出口２３には、背圧室２４からの水を前記配管１２に導くように、配管１３、捨て水弁装置３０、配管１４、水温報知装置４０及び配管１５がこの順に接続されている。
【００１８】
第２図に示す通り、ダイヤフラム弁２０内には、流入口２１と流出口２２とを隔てるように円筒形の弁座２５が立設されると共に、この弁座２５に上方から着座するようにダイヤフラム弁体２６が設置されている。ダイヤフラム弁体２６によってダイヤフラム弁２０内が主流路２７と背圧室２４とに区画されている。弁体２６には、主流路２７と背圧室２４とを連通する小孔２６ａが設けられている。背圧室２４内には、弁体２６を弁座２５へ着座する方向に付勢する背圧バネ２８が配置されている。
【００１９】
第３，４図に示す通り、捨て水弁装置３０は、略円筒状であり、筒軸心方向を上下方向とした弁箱３１と、該弁箱３１内に上下方向移動可能に配置された弁体３４と、該弁体３４の下側に配置された、形状記憶材料製のバネ３５等を有している。
【００２０】
この弁箱３１内は、下部が上部よりも内径が大きい大径部３１ａとされ、上部が下部よりも内径が小さい小径部３１ｂとされている。この大径部３１ａに流入口３２が設けられ、小径部３１ｂに流出口３３が設けられている。該流入口３２にダイヤフラム弁２０からの配管１３が接続されている。また、流出口３３に、水温報知装置４０への配管１４が接続されている。
【００２１】
弁体３４は、外径が該小径部３１ｂの内径と略同等となっている。第４図のように、この弁体３４が大径部３１ａ内に位置しているときには、該弁体３４の外周面と大径部３１ａの内周面との間の隙間を通って流入口３２から流出口３３へ水が流通可能であり、捨て水弁装置３０が開弁状態となる。また、第３図のように、この弁体３４が小径部３１ｂ内に係合すると、該流入口３２から流出口３３への水の流通が遮断され、捨て水弁装置３０が閉弁状態となる。符号３４ａは、この弁体３４の外周面と小径部３１ｂの内周面との間をシールするパッキンを示している。
【００２２】
この弁体３４の下面と弁箱３１の底面３１ｃとの間に前記バネ３５が配置されている。このバネ３５は弁箱３１内に露呈しており、前記流入口３２から弁箱３１内に流入した水がこのバネ３５に直に接する。
【００２３】
このバネ３５は、該バネ３５と接する水の温度が前記形状記憶材料の変態温度よりも低い場合には縮短（上下方向に縮んで短くなること）状態となり、この水の温度が該形状記憶材料の変態温度よりも高い場合には伸長（上下方向に伸びて長くなること）状態となる。弁体３４は、このバネ３５が縮短状態にあるときには該バネ３５によって引き下げられて大径部３１ａ内に位置し、このバネ３５が伸長状態にあるときには該バネ３５によって押し上げられて小径部３１ｂ内に係合する。
【００２４】
このバネ３５の形状記憶材料としては、変態温度が３３〜３７℃程度の形状記憶合金が好適である。
【００２５】
弁体３４の上側には軸体３６が設けられている。この軸体３６は、軸心方向を上下方向として配置され、下端が該弁体３４に連なり、上端が弁箱３１の上面開口３１ｄから上方即ち弁箱３１外へ突出している。符号３６ａは、この軸体３６の外周面と弁箱３１の上面開口３１ｄの内周面との間をシールしたパッキンを示している。この軸体３６は、弁体３４と一体的に上下動する。この軸体３６の軸心方向の長さは、弁体３４が下降限まで下降しても、その上端側が弁箱３１から上方に突出しうる寸法となっている。
【００２６】
該軸体３６の上端には、捨て水操作時に操作者によって押される押釦３７が連なっている。
【００２７】
この捨て水弁装置３０は、便器上に設置された便座ボックスの操作パネル（図示略）等に設置されている。
【００２８】
第５〜８図のように、水温報知装置４０は、内部を捨て水弁装置３０からの水が流通するケーシング４１と、該ケーシング４１内を第１室４１ａと第２室４１ｂとに分画するように配置された分画体４４と、該第１室４１ａ内に配置された形状記憶合金製の第１のバネ４５と、該第２室４１ｂ内に配置された非感温性の第２のバネ４６と、基端側が該分画体４４に連なり、先端側がケーシング４１外に延出しているロッド４７と、該ロッド４７の進退に伴って移動する打撃体４８と、該打撃体４８の打撃によって音を発する被打体としてのベル４９等を備えている。
【００２９】
この実施の形態では、該水温報知装置４０は、前記便座ボックス内に設置されている。
【００３０】
ケーシング４１は、この実施の形態では、略円筒状であり、筒軸心方向を上下方向として該便座ボックス内に配置されている。このケーシング４１の上端側に、水の流入口４２と流出口４３とが設けられている。第５〜８図の通り、これらの流入口４２と流出口４３とは、ケーシング４１の直径方向に対峙する位置関係にて配置されている。この流入口４２に、前記捨て水弁装置３０からの配管１４が接続され、流出口４３に、前記捨て配水管１２に合流する配管１５が接続されている。
【００３１】
分画体４４は、この実施の形態では、該ケーシング４１の内径よりも小径の略円盤形状のものであり、該ケーシング４１内に上下方向移動可能に配置されている。この実施の形態では、ケーシング４１内のうち、この分画体４４よりも上側が前記第１室４１ａとなっており、分画体４４よりも下側が前記第２室４１ｂとなっている。前記流入口４２及び流出口４３は、この第１室４１ａ内に臨んでいる。即ち、前記捨て水弁装置３０からの捨て水は、この第１室４１ａ内を流通する。分画体４４には、これらの第１室４１ａと第２室４１ｂとを連通する小孔４４ａが設けられている。
【００３２】
この第１室４１ａ内において、前記第１のバネ４５は、両端をそれぞれ該分画体４４の上面とケーシング４１の天井面４１ｃとに当接させて配置されている。この第１のバネ４５は第１室４１ａ内に露呈しており、流入口４２から該第１室４１ａ内に流入した水は、この第１のバネ４５に直に接する。
【００３３】
この第１のバネ４５は、該第１のバネ４５と接する水の温度が前記形状記憶材料の変態温度よりも低い場合には縮短（上下方向に縮んで短くなること）状態となり、この水の温度が該形状記憶材料の変態温度よりも高い場合には伸長（上下方向に伸びて長くなること）状態となる。分画体４４は、この第１のバネ４５が縮短状態にあるときには、該第１のバネ４５によって引き上げられてケーシング４１内の上端側に位置し、この第１のバネ４５が伸長状態にあるときには、該第１のバネ４５によって押し下げられてケーシング４１内の下端側に位置する。
【００３４】
第５，８図は、この第１のバネ４５が縮短状態にあるときを示し、第６，７図は、この第１のバネ４５が伸長状態にあるときを示している。
【００３５】
なお、第５図の通り、この第１のバネ４５が縮短して分画体４４が上昇限まで上昇した状態にあっても、該分画体４４は、前記流入口４２及び流出口４３よりも下位に位置している。
【００３６】
この第１のバネ４５の形状記憶材料としては、捨て水弁装置３０の前記バネ３５の形状記憶材料と同一か又は若干（例えば０〜３℃、特に１〜２℃程度）低い変態温度の形状記憶合金が好ましい。
【００３７】
前記第２のバネ４６は、ごく一般的な非感温性の弾性材料製のバネである。この第２のバネ４６は、第２室４１ｂ内において、両端をそれぞれ分画体４４の下面とケーシング４１の底面４１ｄとに当接させて蓄力状態にて配置されている。
【００３８】
この第２のバネ４６の付勢力（バネ定数ｋ）は、第１のバネ４５と接する水の温度が前記形状記憶材料の変態温度よりも低い場合には、該第１のバネ４５を押し縮めて分画体４４を上昇させることが可能であり、且つ、この水の温度が該形状記憶材料の変態温度よりも高くなって第１のバネ４５が伸長する場合には、この第１のバネ４５の伸長力により該第２のバネ４６が押し縮められて分画体４４が下降することを許容する程度の強さとなっている。
【００３９】
この実施の形態では、前記ロッド４７は分画体４４の下側に設けられている。このロッド４７は、軸心方向を上下方向として配置され、上端が該分画体４４に連なり、下端がケーシング４１の底面開口４１ｅから下方即ちケーシング４１外へ突出している。前記第２のバネ４６は、このロッド４７及び底面開口４１ｅを取り巻くように配置されている。符号４７ａは、このロッド４７の外周面と該底面開口４１ｅの内周面との間をシールしたパッキンを示している。このロッド４７は、分画体４４と一体的に上下動する。このロッド４７の軸心方向の長さは、分画体４４が上昇限まで上昇しても、その下端側がケーシング４１から下方へ突出する寸法となっている。
【００４０】
ロッド４７の下端側には、後述の回動アーム５５に上方から当接して該回動アーム５５を押し下げるための押下部４７ｂが設けられている。この実施の形態では、該押下部４７ｂは、第９図に示すように、ロッド４７の下端側をＬ字形に折曲することにより形成されている。
【００４１】
被打体としての前記ベル４９は、便座ボックス内に設けられた水温報知装置設置用のベースＢ１上に設置されている。また、該ベースＢ１のベル４９近傍から、柱状の打撃体支持部Ｂ２が立設されている。
【００４２】
前記打撃体４８は、この実施の形態では、該打撃体支持部Ｂ２に対し支軸５１により上下方向回動可能に支持された回動ベース５０と、該回動ベース５０からベル４９側に突設された打ち下ろしアーム５２と、コイルスプリング５４を介して該打ち下ろしアーム５２の先端側に連結されたベル４９打撃用のハンマー５３と、基端側が該回動ベース５０に対し支軸５６により上下方向回動可能に連結されており、先端側がベル４９から離反方向に延在した回動アーム５５と、回動ベース５０をハンマー５３打ち下ろし方向（第７図の矢印Ｒ方向）に回動させるように該回動ベース５０を付勢した付勢バネ５７等を有している。
【００４３】
該支軸５１は、打撃体支持部Ｂ２から略水平に、且つ該打撃体支持部Ｂ２とベル４９との接離方向（即ちベル４９の径方向）と交叉方向に延在するように突設されている。
【００４４】
この実施の形態では、回動ベース５０は、略半円形に延在した円弧状の辺５０ａと、この辺５０ａの両端同士を繋ぐ弦状の辺５０ｂとを有した略半円盤形状のものとなっている。この回動ベース５０の中心孔５０ｃ（第１０図）に、支軸５１が該回動ベース５０の板面と略垂直に、且つ回動可能に挿通されている。この実施の形態では、該中心孔５０ｃは貫通孔であり、支軸５１の先端面は、回動ベース５０の打撃体支持部Ｂ２と反対側の板面に臨んでいる。
【００４５】
付勢バネ５７は、第９，１０図の通り、支軸５１を取り巻くように配置されており、回動ベース５０を前記矢印Ｒ方向に付勢する蓄力状態にて、一端が打撃体支持部Ｂ２に係止され、他端が該回動ベース５０に係止されている。
【００４６】
打撃体支持部Ｂ２からは、回動ベース５０の該矢印Ｒ方向への回動を停止させるためのストッパ５８が突設されている。この実施の形態では、該ストッパ５８は、第５図のように、回動ベース５０の弦状の辺５０ｂが略水平に延在した姿勢となるまで該回動ベース５０が矢印Ｒ方向へ回動したときに、この弦状の辺５０ｂに上方から当接して該回動ベース５０の回動を停止させるよう構成されている。
【００４７】
この回動ベース５０のベル４９側の側面から該ベル４９側へ棒状の前記打ち下ろしアーム５２が突設されている。この打ち下ろしアーム５２は、該回動ベース５０の弦状の辺５０ｂと略平行に延在している。この打ち下ろしアーム５２の先端に前記コイルスプリング５４の一端が接続され、該コイルスプリング５４の他端に前記ハンマー５３が接続されている。
【００４８】
第５図の通り、回動ベース５０がストッパ５８に当接して静止しており、且つハンマー５３に慣性力が作用していない静止状態にあっては、該打ち下ろしアーム５２とコイルスプリング５４とは略水平に且つ略一直線状に延在している。また、この静止状態にあっては、ハンマー５３は、該打ち下ろしアーム５２及びコイルスプリング５４によってベル４９から上方へ若干離隔した位置に支持されている。
【００４９】
支軸５１の先端面からは、該支軸５１と略同軸状に、該支軸５１よりも小径の前記支軸５６が突設されている。前記回動アーム５５は、回動ベース５０の打撃体支持部Ｂ２と反対側の板面に沿って、該回動ベース５０の径方向に延在するように配置され、その基端側が該支軸５６によって上下方向回動可能に支持されている。この回動アーム５５の先端側は、回動ベース５０の外周よりも側外方にまで延在している。
【００５０】
回動ベース５０の打撃体支持部Ｂ２と反対側の板面には、該回動ベース５０の円弧状の辺５０ａに沿って延在した凸条５０ｄが形成されている。第９図に示すように、この凸条５０ｄのベル４９に近い方の端部は回動ベース５０の弦状の辺５０ｂに臨んでおり、ベル４９から遠い方の端部は、該弦状の辺５０ｂから離隔している。
【００５１】
第５図に示すように、回動アーム５５は、回動ベース５０の弦状の辺５０ｂと略平行に延在した姿勢となったときに、その長手方向の途中部が該凸条５０ｄのベル４９から遠い方の端部に上方から当接するようになっている。即ち、この凸条５０ｄは、回動アーム５５を回動ベース５０の弦状の辺５０ｂと略平行に延在した姿勢に支持するストッパである。
【００５２】
前記シリンダ４１は、第５図の通り、第１のバネ４５が縮短状態となっているときに、ロッド４７の下端側の押下部４７ｂがこの回動アーム５５の先端側に上方から対峙しうるように、前記便座ボックス内に固定設置されている。
【００５３】
このように構成された温水洗浄装置の使用方法及び作動について説明する。
【００５４】
便器使用者の臀部を洗浄ノズル１０で洗浄する場合、洗浄ノズル１０による洗浄スイッチ（図示略）を操作する前に、捨て水弁装置３０の押釦３７を押して弁体３４を押し下げ、該捨て水弁装置３０を開弁させる。
【００５５】
このとき、第４図に示す通り、該捨て水弁装置３０の弁箱３１内の水の温度が前記バネ３５の形状記憶材料の変態温度よりも低い状態では、押釦３７を押し下げた後、この押釦３７への押圧力を解除しても、弁体３４の下側の該バネ３５は縮短したままとなっており、捨て水弁装置３０の開弁状態が継続する。
【００５６】
この捨て水弁装置３０が開弁することにより、配管１３を介してダイヤフラム弁２０の背圧室２４から水が流出するため、該背圧室２４内の水圧が主流路２７内の水圧よりも低くなり、この水圧差によりダイヤフラム弁体２６が弁座２５から離反し、該主流路２７内から流出口２２及び配管１２を通って水が便鉢へ排出される。また、このとき、該主流路２７内の水の一部は、小孔２６ａを通って背圧室２４に流入し、この背圧室２４から配管１３、捨て水弁装置３０、配管１４、水温報知装置４０、配管１５を経て配管１２へ流出する。
【００５７】
この捨て水に伴い、サーモスタットミキシングバルブ４で生成された温水が配管５へ供給される。
【００５８】
この温水は、配管５、減圧弁付き高温遮断弁６、配管７，１１、ダイヤフラム弁２０、配管１２の順に流れる。また、この温水の一部は、ダイヤフラム弁体２６の小孔２６ａを通って背圧室２４、配管１３、捨て水弁装置３０、水温報知装置４０、配管１５、配管１２の順に流れる。この温水により、捨て水弁装置３０の弁箱３１内及び水温報知装置４０のケーシング４１内の水温が上昇する。
【００５９】
そして、この捨て水弁装置３０の弁箱３１内のバネ３５に接する水の温度が該バネ３５の形状記憶材料の変態温度以上になると、該バネ３５が伸長する。また、水温報知装置４０のケーシング４１内の第１のバネ４５に接する水の温度が該第１のバネ４５の形状記憶材料の変態温度以上になると、この第１のバネ４５も伸長する。
【００６０】
なお、この実施の形態では、水温報知装置４０の第１のバネ４５は、捨て水弁装置３０のバネ３５の形状記憶材料と同一か又は若干低い変態温度の形状記憶合材料製となっているので、水温報知装置４０の第１のバネ４５は、捨て水弁装置３０のバネ３５と略同時に、又はそれよりも若干早く伸長するようになる。
【００６１】
この第１のバネ４５の伸長により、第６図のように、水温報知装置４０のケーシング４１内において、分画体４４が下方へ押し下げられる。これに伴い、ロッド４７がケーシング４１から下方へ進出し、該ロッド４７の下端側の押下部４７ｂが打撃体４８の回動アーム５５を下方へ押し下げる。これにより、回動ベース５０が矢印Ｒと反対方向へ回動してハンマー５３が上方へ持ち上げられる。そして、回動ベース５０が矢印Ｒと反対方向に所定角度まで回動すると、押下部４７ｂが回動アーム５５から外れ、該回動ベース５０が付勢バネ５７の付勢力により矢印Ｒ方向へ回動する。これにより、ハンマー５３がベル４９に打ち下ろされる。
【００６２】
なお、第７図のように、回動ベース５０は、打ち下ろしアーム５２が略水平に延在した姿勢となったときにストッパ５８に当接して回動を停止するが、ハンマー５３の慣性力により、コイルスプリング５４が撓り、該ハンマー５３がベル４９に当る。
【００６３】
このハンマー５３の打撃によりベル４９が鳴り、その音により、捨て水が終了したことが便器使用者に知得される。
【００６４】
また、捨て水弁装置３０内では、バネ３５の伸長により、弁体３４が上昇して弁箱３１の小径部３１ｂ内に係合し、該捨て水弁装置３０が閉弁状態となる。この結果、ダイヤフラム弁２０の背圧室２７から捨て水弁装置３０への水の流出が停止するため、小孔２６ａを通って主流路２７から背圧室２４に流入する水によりダイヤフラム弁体２６が徐々に下降し、遂にはダイヤフラム弁体２６が弁座２５に着座してダイヤフラム弁２０も閉弁される。これにより、捨て水が停止する。
【００６５】
なお、小孔２６ａ、背圧室２４及び配管１３を介して弁箱３１内に伝達される温水の水圧によって弁体３４の上昇状態が保たれる。この状態は、次に押釦３７を押すまで継続する。
【００６６】
ベル４９が鳴った後、洗浄ノズル１０による洗浄スイッチを操作する。このとき、捨て水は終了しているので、洗浄開始直後から温水が便器使用者の臀部に噴出される。
【００６７】
捨て水すべく押釦３７を押してから時間が経過し、水温報知装置４０のケーシング４１内の温水の温度が低下すると、該ケーシング４１内の第１のバネ４５に接する水の温度が該バネ４５の形状記憶材料の変態温度以下になる。そうすると、第２のバネ４６の付勢力により分画体４４が該第１のバネ４５を押し縮めて上昇する。これに伴い、ロッド４７も上昇する。
【００６８】
このとき、該ロッド４７の下端側の押下部４７ｂが回動アーム５５に下方から接触するが、第８図のように、該回動アーム５５は、この押下部４７ｂに押されて上方へ回動し、遂にはこの押下部４７ｂから外れる。その後、ロッド４７は、第５図に示す回動アーム５５押し下げ動作前の位置まで上昇する。また、回動アーム５５は、押下部４７ｂから外れた後、自重により下方へ回動して凸条５０ｄ上に着地し、元の姿勢に戻る。これにより、水温報知装置４０が第５図の水温報知前の状態に復帰する。
【００６９】
以上の通り、この水温報知装置４０を備えた温水洗浄装置にあっては、温水源からの温水が流通されるケーシング４１内に、この温水と接するように形状記憶材料製の第１のバネ４５が配置されており、この温水の温度が該形状記憶材料の変態温度以上となったときに該第１のバネ４５が伸長することに伴い、ロッド４７がケーシング４１から進出して打撃体４８を弾き、これにより打撃体４８がベル４９を打撃し、該ベル４９が音を発するので、電源を用いることなく、音で温水温度を報知することができる。
【００７０】
また、この水温報知装置４０にあっては、形状記憶材料製の第１のバネ４５が、ケーシング４１内を流通する温水と直に接するので、この温水の温度が該形状記憶材料の変態温度以上となったときに該第１のバネ４５が素早く伸長する。これにより、水温報知装置４０は俊敏に温水温度を報知することができる。
【００７１】
上記の実施の形態は、本発明の一例を示すものであり、本発明は上記の実施の形態に限定されない。
【００７２】
例えば、上記の実施の形態では被打体としてベルを用いているが、本発明においては、この被打体は、打撃されることにより音を発するものであればよく、この被打体として、鐘や鉦、太鼓、鼓、音叉、鈴など、ベル以外のものを用いてもよい。また、打撃体は、図示の構成に限定されない。
【００７３】
上記の実施の形態では、形状記憶材料製の第１のバネ４５は、温水の温度が該形状記憶材料の変態温度以上となったときに伸長するものであり、この第１のバネ４５の伸長に伴ってロッド４７がケーシング４１から下方へ進出し、これにより打撃体４８が下方へ押されて弾かれるように構成されているが、この第１のバネ４５として、温水の温度が該形状記憶材料の変態温度以上となったときに縮短するものを用い、この第１のバネ４５の縮短に伴ってロッド４７がケーシング４１内に退動することにより、打撃体４８が上方へ引き上げられて弾かれるように構成してもよい。
【００７４】
本発明にあっては、水温報知装置４０は、図示の姿勢から横倒しにした姿勢や、上下逆にした姿勢などで設置されてもよい。また、この水温報知装置４０は、便座ボックス内以外の場所に設置されてもよい。
【００７５】
上記の実施の形態では、水温報知装置４０は、捨て水弁装置３０の下流側に配置されているが、水温報知装置４０の配置はこれに限定されない。例えば、水温報知装置４０は、ダイヤフラム弁２０と捨て水弁装置３０との間の配管１３の途中に配置されてもよく、ダイヤフラム弁２０からの捨て水配管１２の途中に配置されてもよい。
【図面の簡単な説明】
【００７６】
【図１】実施の形態に係る温水洗浄装置の系統図である。
【図２】ダイヤフラム弁の断面図である。
【図３】捨て水弁装置の断面図である。
【図４】捨て水弁装置の断面図である。
【図５】水温報知装置の断面図である。
【図６】水温報知装置の断面図である。
【図７】水温報知装置の断面図である。
【図８】水温報知装置の断面図である。
【図９】打撃体の斜視図である。
【図１０】図９のＸ−Ｘ線に沿う断面図である。
【符号の説明】
【００７７】
４  サーモスタットミキシングバルブ
６  減圧弁付き高温遮断弁
８  流量調節弁
１０  洗浄ノズル
２０  ダイヤフラム弁
３０  捨て水弁装置
３１  弁箱
３２  流入口
３３  流出口
３４  弁体
３５  形状記憶材料製バネ
３６  軸体
３７  押釦
４０  水温報知装置
４１  ケーシング
４２  流入口
４３  流出口
４４  分画体
４５  形状記憶材料製の第１のバネ
４６  非感温性の第２のバネ
４７  ロッド
４７ｂ  押下部
４８  打撃体
４９  被打体としてのベル
５０  回動ベース
５１  支軸
５２  打ち下ろしアーム
５３  ハンマー
５４  コイルスプリング
５５  回動アーム
５６  支軸
【図１】
2009084983.tif 000003
【図２】
2009084983.tif 000004
【図３】
2009084983.tif 000005
【図４】
2009084983.tif 000006
【図５】
2009084983.tif 000007
【図６】
2009084983.tif 000008
【図７】
2009084983.tif 000009
【図８】
2009084983.tif 000010
【図９】
2009084983.tif 000011
【図１０】
2009084983.tif 000012